(57)【特許請求の範囲】
【請求項１】
外枠に対し回動軸回りに開閉自在に取り付けられる前面枠と、該前面枠に設けられる透明板挿入保持枠と、前記前面枠の開放端側から前記透明板挿入保持枠に向かって挿入され該透明板挿入保持枠によって保持される透明板と、前記前面枠の開放端側において該前面枠を施錠する施錠装置とを備えるパチンコ遊技機において、
前記施錠装置に対して一体に取り付けられる透明板押え部材を備え、
該透明板押え部材は、押圧プレートと該押圧プレートに対し前記前面枠の前記回動軸へ向かう方向の付勢力を加える付勢手段とを備え、
前記押圧プレートは、前記前面枠を閉じる過程において、前記透明板から押圧力を受けながら前記付勢手段の付勢力に抗して後退し、前記前面枠を閉状態まで案内するテーパ面と、該テーパ面から延在し、前記前面枠が閉じられた状態において前記付勢手段の付勢力に基づき、前記透明板に対し常に前記前面枠の前記回動軸へ向かう方向の付勢力を加える押圧面とを有する
ことを特徴とするパチンコ遊技機。
【請求項２】
前記前面枠は、該前面枠を開放したときに前記透明板が前記透明板挿入保持枠から飛び出すのを防止する飛び出し防止手段を備え、該飛び出し防止手段は、起伏部材と付勢手段とを備え、前記起伏部材は、通常時は前記付勢手段から付勢力を受けて前記前面枠の面から突出した状態にあり、かつ、外力を受けたとき前記前面枠の面と略面一になるよう構成されることを特徴とする請求項１記載のパチンコ遊技機。
【発明の詳細な説明】
【０００１】
【発明の属する技術分野】
本発明は、パチンコ遊技機、詳しくは、ガラス板等透明板を前面枠に取り付ける構造に関するものである。
【０００２】
【従来の技術】
一般に、パチンコ遊技機は、外枠に対し開閉自在に取り付けられる前面枠と、前面枠に設けられる透明板挿入保持枠と、前面枠の開放端側から透明板挿入保持枠に向かって挿入され透明板挿入保持枠によって保持されるガラス板等透明板と、外枠に設けられ、前面枠の開放端側において前面枠を外枠に対して施錠する施錠装置とを備える。
【０００３】
そして、従来のパチンコ遊技機は、透明板挿入保持枠に対して透明板を挿入したとき透明板のがたつきを防止するために、パチンコ遊技機とは分離独立した個別部品としての固定部材を透明板に組み付けて透明板を透明板挿入保持枠に固定させている。
【０００４】
【発明が解決しようとする課題】
しかしながら、固定部材を透明板に組み付ける作業は面倒でしかも熟練を要し、また透明板を透明板挿入保持枠から取り外す際には固定部材を透明板から取り外す作業をしなければならず、この作業も面倒でしかも熟練を要するという問題があった。
【０００５】
本発明は、上記のような従来の問題点を解決し、分離独立した個別部品としての固定部材を用いることなく簡単な作業によって透明板を透明板挿入保持枠にがたつき無く固定させることができ、また透明板を透明板挿入保持枠から簡単に取り外すことができるパチンコ遊技機を提供することを目的とする。
【０００６】
【課題を解決するための手段】
本発明のパチンコ遊技機は、外枠に対し回動軸回りに開閉自在に取り付けられる前面枠と、該前面枠に設けられる透明板挿入保持枠と、前記前面枠の開放端側から前記透明板挿入保持枠に向かって挿入され該透明板挿入保持枠によって保持される透明板と、前記前面枠の開放端側において該前面枠を施錠する施錠装置とを備えるパチンコ遊技機において、前記施錠装置に対して一体に取り付けられる透明板押え部材を備え、該透明板押え部材は、押圧プレートと該押圧プレートに対し前記前面枠の前記回動軸へ向かう方向の付勢力を加える付勢手段とを備え、前記押圧プレートは、前記前面枠を閉じる過程において、前記透明板から押圧力を受けながら前記付勢手段の付勢力に抗して後退し、前記前面枠を閉状態まで案内するテーパ面と、該テーパ面から延在し、前記前面枠が閉じられた状態において前記付勢手段の付勢力に基づき、前記透明板に対し常に前記前面枠の前記回動軸へ向かう方向の付勢力を加える押圧面とを有することを特徴とする。
【０００８】
ここで、前記前面枠は、該前面枠を開放したときに前記透明板が前記透明板挿入保持枠から飛び出すのを防止する飛び出し防止手段を備え、該飛び出し防止手段は、起伏部材と付勢手段とを備え、前記起伏部材は、通常時は前記付勢手段から付勢力を受けて前記前面枠の面から突出した状態にあり、かつ、外力を受けたとき前記前面枠の面と略面一になるよう構成される。
【０００９】
【発明の実施の形態】
以下、本発明の一実施形態を図面に基づいて説明する。
【００１０】
図１は、一実施形態に係るパチンコ遊技機の斜視図、図２は、その施錠装置の正面図、図３及び図４は透明板押え部材の動作説明図、図５、図６及び図７は飛び出し防止手段の動作説明図をそれぞれ示す。
【００１１】
図１に示すパチンコ遊技機は、外枠１に対し左右水平方向へ開閉自在に取り付けられた前面枠２を外枠１から開放したときを示している。外枠１には、前面枠２の開放端側において前面枠２を外枠１に対して施錠する施錠装置３が設けられている。前面枠２の裏面側には、前面枠２の開放端側から挿入されたガラス板又はプラスチック板等透明板４を保持する透明板挿入保持枠５が設けられている。
【００１２】
施錠装置３には透明板押え部材６が一体に取り付けられている。透明板押え部材６は、図１〜図４に示すように、施錠装置３の本体部３１の上側及び下側にハウジング６１を有し、これらのハウジング６１にそれぞればね又はゴム弾性体等付勢手段６２が収納されている。付勢手段６２は、押圧プレート６３と係合状態にあり、押圧プレート６３に対し常に前進方向（前面枠２の回動軸Ｚへ向かう方向）の付勢力を加えている。押圧プレート６３は、前面枠２を閉じる過程において透明板４の鉛直コーナー部４１から押圧力を受けながらハウジング６１の内部方向へ後退するテーパ面６３ａ（図３参照）と、このテーパ面６３ａからパチンコ遊技機の裏側へ向かって延在し、前面枠２が閉じられた状態において透明板４に対し常に押え方向（前面枠２の回動軸Ｚへ向かう方向）の付勢力を加える押圧面６３ｂ（図２、図４参照）とを有する。
【００１３】
また、前面枠２は、飛び出し防止手段７を備える。飛び出し防止手段７は、前面枠２を開放したときに透明板押え部材６からの付勢力が解除されることによって透明板４が透明板挿入保持枠５から飛び出すのを防止するものである。飛び出し防止手段７は、図５〜図７に示すように、起伏部材７１とばね、ゴム弾性体等付勢手段７２とを備えて構成される。起伏部材７１は、通常時は付勢手段７２から上方への付勢力を受けて前面枠２の下枠部２１の上面２１ａから上方へ突出した状態にあり、透明板挿入保持枠５に挿入、保持されている透明板４の飛び出しを防止する（図５、図７参照）。また、透明板挿入保持枠５に透明板４を挿入する際には、透明板４の重量によって起伏部材７１が押し下げられ、これにより透明板４を透明板挿入保持枠５に向けて挿入することができる。また、透明板挿入保持枠５から透明板４を取り外す際には、起伏部材７１の操作片７１ａに対して付勢手段７２の付勢力に抗して下方への押圧力を加えて起伏部材７１を押し下げ、前面枠２の下枠２１の上面２１ａと略面一にする（図６参照）。これにより起伏部材７１が透明板４の障害物とならなくなり透明板４の取外しが可能となる。
【００１４】
次に、上記のように構成されたパチンコ遊技機において、透明板挿入保持枠５に透明板４を挿入し、取り出す際の動作、並びに、前面枠２を開閉する際の動作について説明する。
【００１５】
透明板挿入保持枠５に透明板４を挿入する際には、通常時は付勢手段７２によって前面枠２の下枠２１の上面２１ａから突出した状態にある起伏部材７１が、透明板４の重量によって押し下げられる。これにより透明板４は透明板挿入保持枠５に向けて挿入可能とされる。また、透明板挿入保持枠５から透明板４を取り外す際には、操作片７１ａに対して付勢手段７２の付勢力に抗して下方への押圧力を加えて起伏部材７１を押し下げ、前面枠２の下枠２１の上面２１ａと略面一にする。これにより起伏部材７１が透明板４の障害物とならなくなり透明板４の取外しが可能となる。
【００１６】
前面枠２を閉じる際には、透明板４の鉛直コーナー部４１が透明板押え部材６のテーパ面６３ａと当接するようになると、鉛直コーナー部４１からの押圧力によってテーパ面６３ａが後退してゆき、透明板４の鉛直端面４２は押圧面６３ｂと対面する位置まで案内されるようになる。そして、透明板４は付勢手段６２により押圧面６３ｂから常に押え方向（前面枠２の回動軸Ｚへ向かう方向）の付勢力を受けることとなり、透明板４は透明板挿入保持枠５にがたつき無く保持される。また、前面枠２を開放する際には、透明板押え部材６からの付勢力が解除されることによって透明板４が透明板挿入保持枠５から飛び出そうとするが、飛び出し防止手段７の起伏部材７１が前面枠２の下枠２１の上面２１ａから突出状態にあり、この起伏部材７１によって透明板４の飛び出し方向への移動が規制される。
【００１７】
図８は、飛び出し防止手段７の変形例を示す。この飛び出し防止手段７は、前面枠２の下枠２１の上面２１ａに設けた段差部７３により構成されている。この段差部７３は、透明板４を透明板挿入保持枠５に挿入する際に障害とならないよう構成されており、しかも、前面枠２を開放したときに透明板押え部材６の付勢力の解除による透明板４の飛び出しを防止するよう構成されている。また、透明板挿入保持枠５から透明板４を取り外す際には、透明板４の下端コーナー部４３が段差部７３を越えるように透明板４を持ち上げ引出し方向へ移動させることによって透明板４を透明板挿入保持枠５から簡単に取り外すことができる。
【００１８】
以上説明したように、本実施形態のパチンコ遊技機は、外枠１に対し開閉自在に取り付けられる前面枠２と、前面枠２に設けられる透明板挿入保持枠５と、前面枠２の開放端側から透明板挿入保持枠５に向かって挿入され透明板挿入保持枠５によって保持される透明板４と、外枠１に設けられ、前面枠２の開放端側において前面枠２を外枠１に対して施錠する施錠装置３とを備えるパチンコ遊技機において、施錠装置３に対して一体に取り付けられ、前面枠２が閉じられた状態において透明板４に対し常に押え方向の付勢力を加える透明板押え部材６を備える。このため、本実施形態によると、分離独立した個別部品としての固定部材を用いることなく透明板４を透明板挿入保持枠５にがたつき無く固定させることができる。
【００１９】
また、透明板押え部材６は、前面枠２を閉じる過程において透明板４から押圧力を受けながら後退し前面枠２を閉状態まで案内するテーパ面６３ａを有する。このため、前面枠２を閉じる作業を行うと、透明板４は透明板押え部材６のテーパ面６３ａを後退させながら閉状態まで自動的に案内され透明板挿入保持枠５にがたつき無く固定されることとなり、したがって、簡単な作業によって透明板４を透明板挿入保持枠５にがたつき無く固定させることが可能になる。
【００２０】
また、前面枠２は、前面枠２を開放したときに透明板４が透明板挿入保持枠５から飛び出すのを防止する飛び出し防止手段７を備える。このため、前面枠２を開放したとき、透明板押え部材６の付勢力の解除により透明板４が透明板挿入保持枠５から飛び出そうとするが、飛び出し防止手段７によって透明板４の飛び出しが防止されるようになり、透明板４が透明板挿入保持枠５に保持された状態で透明板４を透明板挿入保持枠５から取り外す作業を行うことができる。この取外し作業は、飛び出し防止手段７が起伏部材７１と付勢手段７２とから構成される場合には起伏部材７１に対して押圧力を加えた状態で透明板４を引き出すことによって簡単に取り外すことができ、また、飛び出し防止手段７が段差部７３である場合には透明板４の下端コーナー部４３を段差部７３を越えるように持ち上げてから引き出すようにすることによって簡単に取り外すことができる。
【００２１】
【発明の効果】
本発明によると、分離独立した個別部品としての固定部材を用いることなく簡単な作業によって透明板を透明板挿入保持枠にがたつき無く固定させることができ、また透明板を透明板挿入保持枠から簡単に取り外すことができる。
【図面の簡単な説明】
【図１】本発明の一実施形態に係るパチンコ遊技機の斜視図である。
【図２】その施錠装置の正面図である。
【図３】透明板押え部材の動作説明図である。
【図４】同じく透明板押え部材の動作説明図である。
【図５】飛び出し防止手段の動作説明図である。
【図６】同じく飛び出し防止手段の動作説明図である。
【図７】同じく飛び出し防止手段の動作説明図である。
【図８】飛び出し防止手段の変形例の斜視図である。
【符号の説明】
１    外枠
２    前面枠
３    施錠装置
４    透明板
５    透明板挿入保持枠
６    透明板押え部材
６３ａ    テーパ面
７    飛び出し防止手段
７１    起伏部材（飛び出し防止手段）
７２    付勢手段（飛び出し防止手段）
７３    段差部（飛び出し防止手段）
【図１】
0003942358.tif 000002
【図２】
0003942358.tif 000003
【図３】
0003942358.tif 000004
【図４】
0003942358.tif 000005
【図５】
0003942358.tif 000006
【図６】
0003942358.tif 000007
【図７】
0003942358.tif 000008
【図８】
0003942358.tif 000009